(57)【要約】【課題】フォーカルプレンシャッタにおいて、羽根動作時の摺動による摩耗粉の発生を抑制可能とする。【解決手段】露光用の開口部を有する地板及び補助地板と、前記地板と前記補助地板との間に形成される羽根室に収容され、前記開口部の開閉状態を切り替えるよう動作する羽根と、回転可能に構成された駆動部と、前記駆動部及び前記羽根に連結され、前記駆動部から与えられた駆動力を前記羽根に伝達するアームと、前記羽根と前記アームとを連結する連結具と、を備え、前記アームと前記連結具との間には、円筒状のスリーブが配置される構成とする。【選択図】図３
2018124397.tif 000002
【特許請求の範囲】
【請求項１】
露光用の開口部を有する地板及び補助地板と、
前記地板と前記補助地板との間に形成される羽根室に収容され、前記開口部の開閉状態を切り替えるよう動作する羽根と、
回転可能に構成された駆動部と、
前記駆動部及び前記羽根に連結され、前記駆動部から与えられた駆動力を前記羽根に伝達するアームと、
前記羽根と前記アームとを連結する連結具と、を備え、
前記アームと前記連結具との間には、円筒状のスリーブが配置される、
フォーカルプレンシャッタ。
【請求項２】
前記スリーブは、潤滑処理が施された金属である、
請求項１に記載のフォーカルプレンシャッタ。
【請求項３】
前記スリーブは、前記アーム及び前記連結具とは異なる素材で形成されている、
請求項１または請求項２に記載のフォーカルプレンシャッタ。
【請求項４】
前記スリーブは、表面粗さがＲＡ３．２以下である、
請求項１〜３のいずれか１項に記載のフォーカルプレンシャッタ。
【請求項５】
前記連結具は、第１連結具と、前記第１連結具よりも前記駆動部に近い位置に配置された第２連結具とを含み、
前記スリーブは、前記アームと前記第１連結具との間に配置される、
請求項１〜４のいずれか１項に記載のフォーカルプレンシャッタ。
【請求項６】
請求項１〜５のいずれか１項に記載のフォーカルプレンシャッタと、
撮像素子と、を備える、
撮像装置。
【発明の詳細な説明】
【技術分野】
【０００１】
本発明の一態様は、カメラに用いられるフォーカルプレンシャッタなどに関する。
【背景技術】
【０００２】
羽根群によって開口部（露光開口、または画枠とも称する）を開閉することで撮像素子またはフィルムに対する露光を行うフォーカルプレンシャッタでは、地板と補助地板との間に形成された羽根室に配置された羽根群を駆動機構により駆動することで開口部の開閉状態を変化させ、露光が行われる構成となっている。このようなフォーカルプレンシャッタでは、羽根の動作の際の摺動が繰り返されることで摩耗粉が発生することがある。発生した摩耗粉が撮像素子に付着すると、撮像した画像の画質の低下に繋がる。そこで、摩耗粉の発生を抑制したり、発生した摩耗粉が飛散しないように吸着したりする構成が、例えば特許文献１などに開示されている。
【先行技術文献】
【特許文献】
【０００３】
【特許文献１】特開２００３−２８００６６号公報
【発明の概要】
【発明が解決しようとする課題】
【０００４】
近年、画質の向上に対するさらなる要求があり、従来よりもさらに摩耗粉の発生を抑制する構成とすることが求められている。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
露光用の開口部を有する地板（１）及び補助地板（２）と、
前記地板と前記補助地板との間に形成される羽根室に収容され、前記開口部の開閉状態を切り替えるよう動作する羽根（４、５）と、
回転可能に構成された駆動部（８ａ、８ｂ）と、
前記駆動部及び前記羽根に連結され、前記駆動部から与えられた駆動力を前記羽根に伝達するアーム（６）と、
前記羽根と前記アームとを連結する連結具（７）と、を備え、
前記アームと前記連結具との間には、円筒状のスリーブ（９）が配置される、
フォーカルプレンシャッタである。
【０００７】
上記構成のフォーカルプレンシャッタによれば、羽根が動作する際に、アームと連結具とがスリーブを介して摺動することとなる。そのため、アームと連結具との間の摩擦を低減することができ、摩耗粉の発生を抑制することが可能となる。これにより、フォーカルプレンシャッタを備える撮像装置の撮像素子に摩耗粉が付着することなどにより起こる撮像画像の画質の低下を抑制することなどが可能となる。
【０００８】
上記フォーカルプレンシャッタにおいて、好ましくは、
前記スリーブは、潤滑処理が施された金属である。
【０００９】
上記構成のフォーカルプレンシャッタによれば、アームと連結具との摩擦をより効果的に低減することができ、摩耗粉の発生をさらに抑制することが可能となる。
【００１０】
上記フォーカルプレンシャッタにおいて、好ましくは、
前記スリーブは、前記アーム及び前記連結具とは異なる素材で形成されている。
【００１１】
上記構成のフォーカルプレンシャッタによれば、スリーブと、アームまたは連結具とが固着することを防止することができる。
【００１２】
上記フォーカルプレンシャッタにおいて、好ましくは、
前記スリーブは、表面粗さがＲＡ３．２以下である。
【００１３】
上記構成のフォーカルプレンシャッタによれば、アームと連結具との間のスリーブが適度な滑らかさを備えることで、アームと連結具とが滑らかに動作する構成とすることができる。これにより、スリーブと、アーム及び連結具との摺動位置で摩耗粉が発生することを抑制することができる。
【００１４】
上記フォーカルプレンシャッタにおいて、好ましくは、
前記連結具は、第１連結具と、前記第１連結具よりも前記駆動部に近い位置に配置された第２連結具とを含み、
前記スリーブは、前記アームと前記第１連結具との間に配置される。
【００１５】
上記構成のフォーカルプレンシャッタによれば、複数の連結具のうち、羽根動作時の慣性モーメントにより強い駆動力が与えられる駆動部からより遠い第１連結具とアームとの間にスリーブを配置しているため、特に必要な箇所にスリーブを配置した構成とすることができる。これにより、第２連結具とアームとの間にスリーブを配置しない場合であっても、摩耗粉の発生をある程度抑制することができる。また、アームと連結具との間の全ての箇所にスリーブを配置する構成と比較して、より安価な構成とすることができる。
【００１６】
また、本発明は、上記いずれかのフォーカルプレンシャッタと撮像素子とを備える、カメラなどの撮像装置を含む。
【００１７】
上記構成の撮像装置によれば、高品質な画像を撮像可能な撮像装置を提供することなどが可能となる。
【図面の簡単な説明】
【００１８】
【図１】羽根走行前のフォーカルプレンシャッタの平面図。
【図２】羽根走行後のフォーカルプレンシャッタの平面図。
【図３】連結具により連結された羽根とアームとの断面図。
【図４】スリーブの拡大図。
【発明を実施するための形態】
【００１９】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態
２．補足事項
【００２０】
＜１．実施形態＞
本実施形態のフォーカルプレンシャッタは、羽根とアームとを連結する連結具を有しており、この連結具とアームとの間に円筒状のスリーブを備える構成としている点を特徴のひとつとしている。以下、本実施形態のフォーカルプレンシャッタについて、図面を参照しながら具体的に説明する。
【００２１】
図１及び図２は、本実施形態のフォーカルプレンシャッタの平面図であって、図１は羽根走行前、図２は羽根走行後の状態を示している。図３は、連結具により連結された羽根とアームとの断面図である。図４は、スリーブの拡大図である。
【００２２】
図１及び図２に示されるように、本実施形態のフォーカルプレンシャッタは、地板１、補助地板２、中間板３、先羽根４ａ〜４ｄ、後羽根５ａ〜５ｄ、アーム６ａ〜６ｄ、連結具７ａ〜７ｄ、並びに駆動軸８ａ及び８ｂを含んで構成される。先羽根４ａ〜４ｄを先羽根４と総称し、後羽根５ａ〜５ｄを後羽根５と総称することがある。アーム６ａ〜６ｄをアーム６と総称し、連結具７ａ〜７ｄを連結具７と総称することがある。図３に示されるように、連結具７とアーム６との間には、円筒状のスリーブ９が配置される（図４参照）。
【００２３】
＜地板１＞
地板１は、フォーカルプレンシャッタの基板部分であって、露光開口（画枠）として機能する矩形状の開口部１ａが形成されている。図１及び図２に示されるように、地板１には駆動軸８ａ及び８ｂが搭載される。駆動軸８ａ及び８ｂに対しては、電磁アクチュエータまたはモータ（図示省略）から動力が与えられる。駆動軸８ａ及び８ｂと、電磁アクチュエータまたはモータなどを含む構成を指して「駆動部」と称する。
【００２４】
＜補助地板２＞
補助地板２は、地板１と対向する位置に、地板１に対して所定の間隔を空けて取り付けられる。地板１と補助地板２との間には、先羽根４及び後羽根５が収容される羽根室が形成される。この羽根室には、先羽根４及び後羽根５の他に、中間板３などが配置される。補助地板２には、地板１に形成された開口部１ａと類似した矩形状の開口部が形成されている。
【００２５】
地板１及び補助地板２に形成された開口部が重なる領域が、露光用の開口として機能する露光開口（画枠）となる。露光開口（画枠）は、駆動部（駆動軸８ａ及び８ｂを含む）に駆動された先羽根４及び後羽根５が移動して、その開閉状態が変化することで、被写体側からの光を撮像素子またはフィルム側に通過させる。被写体側からこの露光開口を通過した光が、フォーカルプレンシャッタの露光開口の先に配置された撮像素子またはフィルム等に到達することで撮像が行われる。なお、撮像素子及びフィルムを撮像部と総称することがある。
【００２６】
＜中間板３＞
中間板３は、上記のとおり地板１と補助地板２との間の羽根室に配置される。地板１と補助地板２との間に中間板３が配置されることで、地板１と中間板３とにより形成される第１の羽根室と、補助地板２と中間板３とにより形成される第２の羽根室とがそれぞれ独立して形成することとなる。これらの第１及び第２の羽根室に、それぞれ先羽根４と後羽根５とが収容される。中間板３も、地板１及び補助地板２と同様に開口部を有する。
【００２７】
＜先羽根４及び後羽根５＞
先羽根４及び後羽根５は、羽根室に配置され、アーム６ａ〜６ｄを介して駆動部（駆動軸８ａ及び８ｂを含む）に連結される。先羽根４及び後羽根５は、アーム６ａ〜６ｄを介して駆動部により駆動され、露光開口（画枠）を開閉するよう動作する。先羽根４及び後羽根５は、それぞれ複数枚（本実施形態では４枚）の羽根により構成される。先羽根４及び後羽根５は、アルミニウムなどの金属、カーボンファイバー、または樹脂により形成される。
【００２８】
＜アーム６ａ〜６ｄ＞
アーム６ａ〜６ｄは、駆動部（駆動軸８ａ及び８ｂを含む）と、先羽根４及び後羽根５とにそれぞれ連結され、駆動部から与えられた駆動力を先羽根４及び後羽根５に伝達する。アーム６と連結具７との間には、円筒状のスリーブ９が配置される。アーム６は、固着を防止するため、スリーブ９とは異なる素材の金属で形成される。
【００２９】
アーム６は、複数の先羽根４または後羽根５に連結される。具体例としては、図１及び図２に示されるように、アーム６ｄは、後羽根５ａ〜５ｄの４枚に、４つの連結具７ａ〜７ｄによりそれぞれ連結される。
【００３０】
＜連結具７ａ〜７ｄ＞
連結具７ａ〜７ｄは、金属で形成されたリベットであり、一方（例えば図３の下側）がかしめられることで、各アーム６と先羽根４及び後羽根５とを連結する。連結具７は、固着を防止するため、スリーブ９とは異なる金属素材で形成される。連結具７とアーム６との間には、スリーブ９が配置される。なお、連結具７ａ〜７ｄは、必ずしもリベットである必要はなく、その他の連結部材であっても良い。
【００３１】
＜駆動軸８ａ及び８ｂ＞
駆動軸８ａ及び８ｂは、それぞれ電磁アクチュエータまたはモータなどと、アーム６ａ〜６ｄと連結され、アーム６ａ〜６ｄに対して駆動力を伝達する。駆動軸８ａ及び８ｂは、それぞれ軸状の部材であって、中心軸を中心として回転する。駆動軸８ａ及び８ｂは、地板上に搭載される。本明細書では、駆動軸８ａ及び８ｂと、電磁アクチュエータまたはモータなどを含む構成を指して、「駆動部」と称する。
【００３２】
＜スリーブ９＞
スリーブ９は、図４に示されるように円筒状であって、ステンレスまたは真鍮などの金属で形成される。スリーブ９は、固着を防止するため、連結具７及びアーム６とは異なる素材の金属で形成される。スリーブ９は、めっき処理等による潤滑処理が施されており、アーム６と連結具７とを円滑に回転自在に連結する。なお、スリーブ９は、その表面にフッ素樹脂または固体潤滑剤を塗布するなどにより、潤滑処理がなされても良い。
【００３３】
スリーブ９は、表面粗さ（面粗度）をＲＡ３．２以下にすることが好ましい。スリーブ９がＲＡ３．２以下の滑らかな面を有することで、アーム６と連結具７とが滑らかに動作する構成となる。また、アーム６と連結具７とが滑らかに摺動することで、摩耗粉の発生を抑制することができる。
【００３４】
スリーブ９は、必ずしもアーム６と先羽根４または５を連結する連結具７の全てに対しして配置されず、複数の連結具７の一部と、アーム６との連結部分に配置されても良い。特に、複数の連結具のうち、羽根動作時の慣性モーメントにより強い駆動力が与えられる駆動部からより遠い第１の連結具７（例えば連結具７ａ）とアーム６との間にスリーブ９を配置すると、特に必要な箇所にスリーブ９を配置した構成とすることができる。これにより、第１の連結具７より駆動部に近い第２の連結具７（例えば連結具７ｄ）とアーム６との間にスリーブ９を配置しない場合であっても、摩耗粉の発生をある程度抑制することができる。
【００３５】
本実施形態のフォーカルプレンシャッタは、平面視で開口部の位置であって、光軸方向後方の被写体とは逆側に撮像素子を備える撮像装置に用いられる。撮像素子は、基板に搭載される。撮像素子は、例えばＣＭＯＳセンサ、またはＣＣＤなどの光電変換素子である。
【００３６】
上記本実施形態のフォーカルプレンシャッタでは、先羽根４及び後羽根５が動作する際に、アーム６と連結具７とはスリーブ９を介して摺動することとなる。そのため、アーム６と連結具７との間の摩擦を低減することができ、摩耗粉の発生を抑制することが可能となる。これにより、フォーカルプレンシャッタを備える撮像装置の撮像素子に摩耗粉が付着することなどにより起こる撮像画像の画質の低下を抑制することなどが可能となる。
【００３７】
また、上記フォーカルプレンシャッタでは、スリーブ９に潤滑処理が施されているため、アーム６と連結具７との摩擦をより効果的に低減することができ、摩耗粉の発生をさらに抑制することが可能となる。
【００３８】
また、上記フォーカルプレンシャッタでは、スリーブ９が、アーム６及び連結具７とは異なる素材で形成されているため、スリーブ９と、アーム６または連結具７とが固着することを防止することができる。
【００３９】
＜２．補足事項＞
以上、本発明の実施形態についての具体的な説明を行った。上記説明は、あくまで一実施形態としての説明であって、本発明の範囲はこの一実施形態に留まらず、同様の技術思想に基づいて当業者が把握可能な範囲にまで広く解釈されるものである。
【００４０】
上記実施形態のフォーカルプレンシャッタでは、先羽根４及び後羽根５を有する構成について説明したが、必ずしも先羽根４及び後羽根５の双方を備える構成でなくても良い。つまり、先羽根４と後羽根５とではなく、１組の羽根を有する構成としても良い。
【産業上の利用可能性】
【００４１】
本発明のフォーカルプレンシャッタは、撮像装置用のシャッタ装置などとして利用される。
【符号の説明】
【００４２】
１…地板
１ａ…開口部
２…補助地板
３…中間板
４、４ａ〜４ｄ…先羽根
５、５ａ〜５ｄ…後羽根
６、６ａ〜６ｄ…アーム
６ｄ…アーム
７、７ａ〜７ｄ…連結具
８ａ、８ｂ…駆動軸
９…スリーブ
【図１】
2018124397.tif 000003
【図２】
2018124397.tif 000004
【図３】
2018124397.tif 000005
【図４】
2018124397.tif 000006